(57)【要約】【課題】小壁に金具を設ける必要がなくて見栄えが良く、且つ、小壁とカウンターの間に余分な隙間が形成されず、また、複雑な構造とならないカウンターの取付構造を提供することを課題とする。【解決手段】対面キッチンにおけるカウンター３を小壁２の上端に小壁２よりも前方に突出させた状態で取り付ける取付構造である。左右に長い桟木８を小壁２の上端面に長手方向に亘って取り付ける。桟木８の前部を小壁２よりも前方に突出させる。該桟木８の突出部分８ａをカウンター３に取り付ける。【選択図】図１
2010075310.tif 000002
【特許請求の範囲】
【請求項１】
対面キッチンにおけるカウンターを小壁の上端に小壁よりも前方に突出させた状態で取り付ける取付構造において、左右に長い桟木を小壁の上端面に長手方向に亘って取り付けると共に、該桟木の前部を小壁よりも前方に突出させ、該桟木の突出部分をカウンターに取り付けることを特徴とするカウンターの取付構造。
【発明の詳細な説明】
【技術分野】
【０００１】
本発明は対面キッチンにおけるカウンターの取付構造に関する。
【背景技術】
【０００２】
従来、対面キッチンにおいてキッチンとダイニングを仕切る小壁にはその上端にカウンターが取り付けられる場合があり、このカウンターは小壁よりもダイニング側である前方に突出させた状態で取り付けられるものである。
【０００３】
このカウンターの取付構造としては、図７のように、小壁２の前面にＬ型金具２０を小壁２の長手方向に複数取り付け、各Ｌ型金具２０上にカウンター３を取り付けたものが知られている。しかし、この取付構造は、小壁２の前面に取り付けた複数のＬ型金具２０がダイニング側から見えて見栄えがよくない。
【０００４】
また、図８に示すように、Ｌ型金具２０を小壁２の流し台等で隠される後面に小壁２の長手方向に間隔を介して複数取り付け、これらＬ型金具２０をカウンター３に埋め込んだ状態で取り付けたものも知られている。しかし、この取付構造は、カウンター３に複数のＬ型金具２０を埋め込むための凹所２１を形成する必要があり、構造が複雑となる。
【０００５】
また、特許文献１のように、小壁の上端面に支持部材を小壁の長手方向に隙間を介して複数取り付け、これら支持部材をカウンターに取り付けたものも知られている。しかし、この取付構造においては、支持部材と支持部材の間に形成された隙間がダイニング側から見えて見栄えが悪く、また、この隙間がごきぶり等の通り道となる恐れもある。
【特許文献１】特開平１０−２４８６５３号公報
【発明の開示】
【発明が解決しようとする課題】
【０００６】
本発明は上記従来の問題点に鑑みてなされたものであって、小壁に金具を設ける必要がなくて見栄えが良く、且つ、小壁とカウンターの間に余分な隙間が形成されず、また、複雑な構造とならないカウンターの取付構造を提供することを課題とする。
【課題を解決するための手段】
【０００７】
上記課題を解決するために請求項１に係るカウンター取付構造は、以下の構成を有している。
【０００８】
対面キッチンにおけるカウンター３を小壁２の上端に小壁２よりも前方に突出させた状態で取り付ける取付構造である。左右に長い桟木８を小壁２の上端面に長手方向に亘って取り付ける。桟木８の前部を小壁２よりも前方に突出させる。桟木８の突出部分８ａをカウンター３に取り付ける。
【発明の効果】
【０００９】
請求項１に係る発明では、小壁の上端面に長手方向に亘って取り付けた桟木を介してカウンターを取り付けることができ、小壁の前面に金具を設ける必要がなく、小壁の上端面とカウンターの間に隙間が形成されず、見栄えが良く、また、ごきぶり等の通り道となる隙間も形成されない。また、カウンターの取付構造が複雑なものとならない。
【発明を実施するための最良の形態】
【００１０】
以下、本発明の実施形態を添付図面に基づいて説明する。
【００１１】
図１乃至図４に示す本実施形態の一例のカウンターの取付構造においては、小壁２は、対面キッチンにおいてキッチンとダイニングを仕切るための壁として利用されるものである。該小壁２は床のキッチンとダイニングの境に設置された流し台やこん炉台等からなる厨房装置１のダイニング側の壁で構成される。また、小壁２に取り付けられるカウンター３により厨房装置１の天板が構成される。以下、厨房装置１のダイニング側を前側、キッチン側を後側として説明する。なお、図１、図４、及び後述の図５及び図６においては、厨房装置１の収納部の図示を部分的に省略している。
【００１２】
図２に示すように、厨房装置１は、フロアーキャビネットとして利用されるものであり、収納部を構成する箱体４と、箱体４上に設けられたカウンター３とで構成され、小壁２は箱体４の前側に位置する前壁により構成されている。
【００１３】
図１に示すように、カウンター３は上面を有する表面材５を裏打ち材６で裏打ち補強して形成されたものである。該カウンター３は小壁２の長手方向の全長に亘って設けられており、また、カウンター３の前端部は全長に亘って小壁２の前面よりも前方に突出した張り出し部１０となっている。張り出し部１０の前端面は表面材５の前縁から垂下した垂下片部７により構成され、該垂下片部７により裏打ち材６の前側が覆われている。
【００１４】
カウンター３は左右に長い板状の桟木８を介して小壁２の上端に取り付けられる。図３に示すように、桟木８はその長さを小壁２の左右幅と同じ寸法としてあり、小壁２の上端面の長手方向に亘って取り付けられる。
【００１５】
カウンター３を小壁２に取り付けるには、まず、図４に示すように、小壁２の上端面に長手方向の全長に亘って桟木８の後端部を載置し、該桟木８の後端部を上方から複数の螺子９により小壁２の上端部に螺子止めする。この螺子９による取り付けは、桟木８の長手方向の複数箇所の後部の前後２箇所において行われる。このように取り付けられた板状の桟木８は小壁２の前面よりも前方に突出する。
【００１６】
続いて、図１に示すように、前記小壁２上に水平に取り付けられた桟木８にカウンター３の前部を載置すると共に、桟木８の前端面を表面材５の垂下片部７の後面に当接して垂下片部７により覆う。
【００１７】
そして、この状態で、桟木８の小壁２よりも前方に突出した部分８ａを下方から複数の螺子１１によりカウンター３の小壁２よりも前方に突出した部分（張り出し部１０）における裏打ち材６に螺子止めする。この螺子１１による取り付けは、桟木８の長手方向の複数箇所の前部の前後２箇所において行われる。このように取り付けられたカウンター３の前端部は小壁２よりも前方に突出し、張り出し部１０となる。
【００１８】
以上説明したように、本例のカウンターの取付構造では、左右に長い桟木８を小壁２の上端面に長手方向に亘って取り付け、この桟木８の小壁２よりも前方に突出させた突出部分８ａにカウンター３を取り付けることで、小壁２にカウンター３を取り付けることができる。
【００１９】
ここで、本例のカウンターの取付構造にあっては、図７のように小壁２の前面にＬ型金具２０を設ける必要がなく、また、桟木８は小壁２の上端面の長手方向に亘り、小壁２の上端面とカウンター３の裏打ち材６の間に隙間が形成されないため、見栄えが良く、また、ごきぶり等の通り道となる隙間も形成されない。また、図８のようにカウンター３にＬ型金具２０を埋め込むための凹所２１を形成する必要もなく、取付構造が複雑にならない。また、桟木８はカウンター３の補強材としての役割も果たし、張り出し部１０を補強することができる。
【００２０】
次に図５及び図６に基づいて他例のカウンターの取り付け構造について説明する。なお以下の説明では一例のカウンターの取り付け構造と同一の構成については同一の番号を付与し、重複する説明は省略する。
【００２１】
図５に示す本例のカウンターの取付構造は、カウンター３の張り出し部１０の下面、詳しくは、張り出し部１０における裏打ち材６の下面に桟木８と同じ長さの板状の裏桟木１３を取り付けてある。該裏桟木１３は裏打ち材６に接着や螺子止め等により取り付けられる。また、裏桟木１３の前端面は垂下片部７により覆われている。
【００２２】
桟木８の小壁２よりも前方に突出した部分８ａの下面には、取付金具１４が桟木８の長手方向に複数取り付けられている。各取付金具１４は桟木８の突出部分８ａの下面に沿い、下方より螺子１１にて取り付けられる取付片部１６と、取付片部１６の前端を下方に折り曲げてなる連結片部１８と、連結片部１８の下端から前方に突出する支持片部１７とで構成されており、支持片部１７は先端側に行くに程上方に位置するよう湾曲している。
【００２３】
カウンター３を小壁２に取り付けるには、一例と同様にまず図６に示すように小壁２の上端面に長手方向の全長に亘って桟木８の後端部を載置し、該桟木８の後端部を上方から複数の螺子９により小壁２の上端部に螺子止めする。
【００２４】
続いて、図５に示すように、前記桟木８上に、裏桟木１３を取り付けたカウンター３、詳しくは裏打ち材６における裏桟木１３の後方部分を載置すると共に、桟木８の前端面を裏桟木１３の後端面に当接する。
【００２５】
そして、この状態で、桟木８の突出部分８ａを下方から複数の螺子１１によりカウンター３の小壁２よりも前方に突出した部分（張り出し部１０）における裏打ち材６に螺子止めする。この螺子１１による取り付けは、桟木８の長手方向の複数箇所において行われる。
【００２６】
また、前記螺子１１を用いて取付金具１４の取付片部１６を支持片部１７が桟木８よりも前方に突出するように突出部分８ａの下面に取り付け、各取付金具１４の支持片部１７の先端を裏桟木１３の下面に当接してカウンター３を支持する。
【００２７】
なお、図５では裏桟木１３を桟木８よりも厚いものとしたが、裏桟木１３及び桟木８の厚みは同じであっても良いし、裏桟木１３が桟木８よりも薄いものであっても良い。
【図面の簡単な説明】
【００２８】
【図１】本発明の実施形態の一例のカウンター取付構造を示す断面図である。
【図２】同様の厨房装置の斜視図である。
【図３】同上の小壁上に桟木を取り付けた状態を示す斜視図である。
【図４】同上の桟木にカウンターを取り付ける前の状態を示す断面図である。
【図５】他例のカウンター取付構造を示す断面図である。
【図６】同上の桟木にカウンターを取り付ける前の状態を示す断面図である。
【図７】従来例のカウンターの取付構造を示す断面図である。
【図８】他の従来例のカウンターの取付構造を示す断面図である。
【符号の説明】
【００２９】
２  小壁
３  カウンター
８  桟木
８ａ  突出部分
【図１】
2010075310.tif 000003
【図２】
2010075310.tif 000004
【図３】
2010075310.tif 000005
【図４】
2010075310.tif 000006
【図５】
2010075310.tif 000007
【図６】
2010075310.tif 000008
【図７】
2010075310.tif 000009
【図８】
2010075310.tif 000010